(57)【特許請求の範囲】
【請求項１】
モバイル端末であって、当該モバイル端末は仮想加入者識別情報モジュールSIMカードおよび物理的SIMカードの両方をサポートし、プロセッサと、前記プロセッサに接続された通信チップと、前記通信チップに接続されたSIMカード回路とを有しており、前記SIMカード回路は、SIMカード切り換えスイッチおよび物理的SIMカード・スロットを有しており；
前記SIMカード回路は、前記物理的SIMカードが前記物理的SIMカード・スロットに挿入されることをチェックするよう構成され；
前記SIMカード回路は、前記SIMカード切り換えスイッチを使うことにより、稼働状態にあるSIMカードを前記仮想SIMカードから前記物理的SIMカードに切り換えるよう構成され；
前記通信チップは前記物理的SIMカードを使うことによってキャリア・ネットワークにアクセスするよう構成され；
前記通信チップは、固定したフォーマットをもちメンテナンス・サーバーによって前記物理的SIMカードに送られるメンテナンス・データを受信するよう構成され、前記メンテナンス・データは識別子フィールドを含み、前記識別子フィールドは前記メンテナンス・データが前記仮想SIMカードのメンテナンス・データであることを同定するために使われ；
前記プロセッサは、前記メンテナンス・データに従って前記仮想SIMカードをメンテナンスするよう構成される、
モバイル端末。
【請求項２】
前記メンテナンス・データが固定したフォーマットをもつショート・メッセージ・サービス・メッセージであり、前記ショート・メッセージ・サービス・メッセージが前記識別子フィールドおよびメンテナンス・フィールドを担持し；
前記プロセッサはさらに、前記固定したフォーマットをもつ前記ショート・メッセージ・サービス・メッセージが前記識別子フィールドを含むことを検出するよう構成され；
前記プロセッサはさらに、前記ショート・メッセージ・サービス・メッセージを前記識別子フィールドに従って仮想SIMカード・メンテナンス・プログラムに転送するよう構成され；
前記プロセッサはさらに、前記仮想SIMカード・メンテナンス・プログラムを使うことによって前記ショート・メッセージ・サービス・メッセージの内容をデコードして前記メンテナンス・フィールドを得るよう構成され；
前記プロセッサはさらに、前記メンテナンス・フィールドに従って前記仮想SIMカードをメンテナンスするよう構成されている、
請求項１記載のモバイル端末。
【請求項３】
前記通信チップがさらに、前記物理的SIMカードを使うことによって前記メンテナンス・サーバーにメンテナンス要求を送るよう構成され、前記メンテナンス要求は前記仮想SIMカードの識別子および前記物理的SIMカードの識別子を含み、
前記仮想SIMカードの識別子は前記仮想SIMカードの識別子に対応するメンテナンス・データを前記物理的SIMカードに対応する当該モバイル端末に送るために前記メンテナンス・サーバーによって使われ；
前記物理的SIMカードの識別子は前記メンテナンス・データを前記物理的SIMカードの識別子に対応する当該モバイル端末に送るために前記メンテナンス・サーバーによって使われる、
請求項１記載のモバイル端末。
【請求項４】
前記SIMカード回路はさらに、前記物理的SIMカードが前記物理的SIMカード・スロットから取り出されることをチェックするよう構成され；
前記SIMカード回路はさらに、前記SIMカード切り換えスイッチを使うことにより、前記稼働状態にあるSIMカードを前記物理的SIMカードから前記仮想SIMカードに切り換えるよう構成され；
前記通信チップはさらに、前記仮想SIMカードを使うことによって前記キャリア・ネットワークにアクセスするよう構成される、
請求項１ないし３のうちいずれか一項記載のモバイル端末。
【請求項５】
メンテナンス・サーバーであって、当該メンテナンス・サーバーは、プロセッサと、前記プロセッサに接続された通信ボードとを有しており；
前記通信ボードは、モバイル端末またはコンピュータによって送られたメンテナンス要求を受信するよう構成され、前記メンテナンス要求は仮想SIMカードの識別子および物理的SIMカードの識別子を含み；
前記プロセッサはさらに、前記仮想SIMカードの識別子に基づいて、送られる必要があり、固定したフォーマットをもつメンテナンス・データを決定するよう構成され、前記メンテナンス・データは識別子フィールドを含み、前記識別子フィールドは、前記メンテナンス・データが前記仮想SIMカードのメンテナンス・データであることを同定するために使われ；
前記通信ボードはさらに、前記メンテナンス・データを前記物理的SIMカードの識別子に対応するモバイル端末に送るよう構成される、
メンテナンス・サーバー。
【請求項６】
前記プロセッサがさらに、前記仮想SIMカードの識別子に対応するメンテナンス・データをデータベースから読み、前記メンテナンス・データは固定したフォーマットをもつショート・メッセージ・サービス・メッセージであり、前記ショート・メッセージ・サービス・メッセージは前記識別子フィールドおよびメンテナンス・フィールドを担持し、前記メンテナンス・フィールドは前記仮想SIMカードをメンテナンスするために前記モバイル端末によって使われ；
前記プロセッサはさらに、前記仮想SIMカードの識別子に対応する前記メンテナンス・データが、送られる必要があり、前記固定したフォーマットをもつ前記メンテナンス・データであることを決定するよう構成される、
請求項５記載のメンテナンス・サーバー。
【請求項７】
仮想SIMカードおよび物理的SIMカードの両方をサポートするモバイル端末において、仮想加入者識別情報モジュールSIMカードをメンテナンスする方法であって、当該方法は：
前記物理的SIMカードが前記物理的SIMカード・スロットに挿入されることをチェックする段階と；
SIMカード切り換えスイッチを使うことにより、稼働状態にあるSIMカードを前記仮想SIMカードから前記物理的SIMカードに切り換える段階と；
前記物理的SIMカードを使うことによってキャリア・ネットワークにアクセスする段階と；
固定したフォーマットをもちメンテナンス・サーバーによって前記物理的SIMカードに送られるメンテナンス・データを受信する段階であって、前記メンテナンス・データは識別子フィールドを含み、前記識別子フィールドは前記メンテナンス・データが前記仮想SIMカードのメンテナンス・データであることを同定するために使われる、段階と；
前記メンテナンス・データに従って前記仮想SIMカードをメンテナンスする段階とを含む、
方法。
【請求項８】
前記メンテナンス・データが固定したフォーマットをもつショート・メッセージ・サービス・メッセージであり、前記ショート・メッセージ・サービス・メッセージが前記識別子フィールドおよびメンテナンス・フィールドを担持し；
前記メンテナンス・データに従って前記仮想SIMカードをメンテナンスする前記段階が：
前記固定したフォーマットをもつ前記ショート・メッセージ・サービス・メッセージが前記識別子フィールドを含むことを検出し；
前記ショート・メッセージ・サービス・メッセージを前記識別子フィールドに従って仮想SIMカード・メンテナンス・プログラムに転送し；
前記仮想SIMカード・メンテナンス・プログラムを使うことによって前記ショート・メッセージ・サービス・メッセージの内容をデコードして前記メンテナンス・フィールドを得て；
前記メンテナンス・フィールドに従って前記仮想SIMカードをメンテナンスすることを含む、
請求項７記載の方法。
【請求項９】
固定したフォーマットをもちメンテナンス・サーバーによって送られるメンテナンス・データを前記物理的SIMカードを使うことによって受信する前に、当該方法は：
前記物理的SIMカードを使うことによって前記メンテナンス・サーバーにメンテナンス要求を送ることを含み、前記メンテナンス要求は前記仮想SIMカードの識別子および前記物理的SIMカードの識別子を含み、
前記仮想SIMカードの識別子は前記仮想SIMカードの識別子に対応するメンテナンス・データを前記物理的SIMカードに対応するモバイル端末に送るために前記メンテナンス・サーバーによって使われ；
前記物理的SIMカードの識別子は前記メンテナンス・データを前記物理的SIMカードの識別子に対応する前記モバイル端末に送るために前記メンテナンス・サーバーによって使われる、
請求項７記載の方法。
【請求項１０】
前記メンテナンス・データに従って前記仮想SIMカードをメンテナンスする前記段階の後に、当該方法はさらに：
前記物理的SIMカードが前記物理的SIMカード・スロットから取り出されることをチェックし；
前記SIMカード切り換えスイッチを使うことにより、前記稼働状態にあるSIMカードを前記物理的SIMカードから前記仮想SIMカードに切り換え；
前記仮想SIMカードを使うことによって前記キャリア・ネットワークにアクセスすることを含む、
請求項７ないし９のうちいずれか一項記載の方法。
【請求項１１】
仮想加入者識別情報モジュールSIMカードをメンテナンスする方法であって、当該方法は：
モバイル端末またはコンピュータによって送られたメンテナンス要求を受信する段階であって、前記メンテナンス要求は仮想SIMカードの識別子および物理的SIMカードの識別子を含む、段階と；
前記仮想SIMカードの識別子に基づいて、送られる必要があり、固定したフォーマットをもつメンテナンス・データを決定する段階であって、前記メンテナンス・データは識別子フィールドを含み、前記識別子フィールドは、前記メンテナンス・データが前記仮想SIMカードのメンテナンス・データであることを同定するために使われる、段階と；
前記メンテナンス・データを前記物理的SIMカードの識別子に対応するモバイル端末に送る段階とを含む、
方法。
【請求項１２】
前記仮想SIMカードの識別子に基づいて、送られる必要があり、固定したフォーマットをもつメンテナンス・データを決定する前記段階は：
前記仮想SIMカードの識別子に対応するメンテナンス・データをデータベースから読む段階であって、前記メンテナンス・データは固定したフォーマットをもつショート・メッセージ・サービス・メッセージであり、前記ショート・メッセージ・サービス・メッセージは前記識別子フィールドおよびメンテナンス・フィールドを担持し、前記メンテナンス・フィールドは前記仮想SIMカードをメンテナンスするために前記モバイル端末によって使われる、段階と；
前記仮想SIMカードの識別子に対応する前記メンテナンス・データが、送られる必要があり、前記固定したフォーマットをもつ前記メンテナンス・データであることを決定する段階とを含む、
請求項１１記載の方法。
【請求項１３】
仮想SIMカードおよび物理的SIMカードの両方をサポートするモバイル端末において、仮想加入者識別情報モジュールSIMカードをメンテナンスするための装置であって、当該装置は：
前記物理的SIMカードが前記物理的SIMカード・スロットに挿入されることをチェックするよう構成されたチェック・モジュールと；
SIMカード切り換えスイッチを使うことにより、稼働状態にあるSIMカードを前記仮想SIMカードから前記物理的SIMカードに切り換えるよう構成された切り換えモジュールと；
前記物理的SIMカードを使うことによってキャリア・ネットワークにアクセスするよう構成されたネットワーク・アクセス・モジュールと；
固定したフォーマットをもちメンテナンス・サーバーによって前記物理的SIMカードに送られるメンテナンス・データを受信するよう構成された受信モジュールであって、前記メンテナンス・データは識別子フィールドを含み、前記識別子フィールドは前記メンテナンス・データが前記仮想SIMカードのメンテナンス・データであることを同定するために使われる、受信モジュールと；
前記メンテナンス・データに従って前記仮想SIMカードをメンテナンスするよう構成されたメンテナンス・モジュールとを有する、
装置。
【請求項１４】
前記メンテナンス・データが固定したフォーマットをもつショート・メッセージ・サービス・メッセージであり、前記ショート・メッセージ・サービス・メッセージは前記識別子フィールドおよびメンテナンス・フィールドを担持し；
前記メンテナンス・モジュールは：
前記固定したフォーマットをもつ前記ショート・メッセージ・サービス・メッセージが前記識別子フィールドを含むことを検出するよう構成された識別子検出ユニットと；
前記ショート・メッセージ・サービス・メッセージを前記識別子フィールドに従って仮想SIMカード・メンテナンス・プログラムに転送するよう構成された情報転送ユニットと；
前記仮想SIMカード・メンテナンス・プログラムを使うことによって前記ショート・メッセージ・サービス・メッセージの内容をデコードして前記メンテナンス・フィールドを得るよう構成された内容デコード・ユニットと；
前記メンテナンス・フィールドに従って前記仮想SIMカードをメンテナンスするよう構成されたデータ・メンテナンス・ユニットとを有する、
請求項１３記載の装置。
【請求項１５】
当該装置は：
前記物理的SIMカードを使うことによって前記メンテナンス・サーバーにメンテナンス要求を送るよう構成された要求送信モジュールを有しており、前記メンテナンス要求は前記仮想SIMカードの識別子および前記物理的SIMカードの識別子を含み、
前記仮想SIMカードの識別子は前記仮想SIMカードの識別子に対応するメンテナンス・データを前記物理的SIMカードに対応するモバイル端末に送るために前記メンテナンス・サーバーによって使われ；
前記物理的SIMカードの識別子は前記メンテナンス・データを前記物理的SIMカードの識別子に対応する前記モバイル端末に送るために前記メンテナンス・サーバーによって使われる、
請求項１３記載の装置。
【請求項１６】
当該装置は：
前記物理的SIMカードが前記物理的SIMカード・スロットから取り出されることをチェックするよう構成されたSIMカード検出モジュールと；
前記SIMカード切り換えスイッチを使うことにより、前記稼働状態にあるSIMカードを前記物理的SIMカードから前記仮想SIMカードに切り換えるよう構成されたネットワーク切り換えモジュールと；
前記仮想SIMカードを使うことによって前記キャリア・ネットワークにアクセスするよう構成されたネットワーク・アクセス・モジュールとを有する、
請求項１３ないし１５のうちいずれか一項記載の装置。
【請求項１７】
仮想加入者識別情報モジュールSIMカードをメンテナンスするための装置であって、当該装置は：
モバイル端末またはコンピュータによって送られたメンテナンス要求を受信するよう構成された要求受信モジュールであって、前記メンテナンス要求は仮想SIMカードの識別子および物理的SIMカードの識別子を含む、要求受信モジュールと；
前記仮想SIMカードの識別子に基づいて、送られる必要があり、固定したフォーマットをもつメンテナンス・データを決定するよう構成されたデータ決定モジュールであって、前記メンテナンス・データは識別子フィールドを含み、前記識別子フィールドは、前記メンテナンス・データが前記仮想SIMカードのメンテナンス・データであることを同定するために使われる、データ決定モジュールと；
前記メンテナンス・データを前記物理的SIMカードの識別子に対応するモバイル端末に送るよう構成されたデータ送信モジュールとを有する、
装置。
【請求項１８】
前記データ決定モジュールは：
前記仮想SIMカードの識別子に対応するメンテナンス・データをデータベースから読むよう構成されたデータ読み込みユニットであって、前記メンテナンス・データは固定したフォーマットをもつショート・メッセージ・サービス・メッセージであり、前記ショート・メッセージ・サービス・メッセージは前記識別子フィールドおよびメンテナンス・フィールドを担持し、前記メンテナンス・フィールドは前記仮想SIMカードをメンテナンスするために前記モバイル端末によって使われる、データ読み込みユニットと；
前記仮想SIMカードの識別子に対応する前記メンテナンス・データが、送られる必要があり、前記固定したフォーマットをもつ前記メンテナンス・データであることを決定するよう構成されたデータ決定ユニットとを有する、
請求項１７記載の装置。
【発明の詳細な説明】
【技術分野】
【０００１】
本発明は無線通信の分野に関し、詳細には、モバイル端末、メンテナンス・サーバーならびに仮想SIMカードをメンテナンスするための方法および装置に関する。
【背景技術】
【０００２】
仮想加入者識別情報モジュール（英語：Subscriber  Identity  Module、略称SIM）カードはSIM機能がソフトウェアによって実装される解決策である。一般に、仮想SIMカードを使うモバイル装置の全体的な安定性および一貫性は、物理的なSIMカードを使うモバイル端末の場合よりもよく、ハードウェア・コストを下げることができる。
【０００３】
従来技術では、モバイル端末における仮想SIMカードが破損すると、ユーザーはモバイル端末を製造業者または販売者に返す必要があり、モバイル端末は製造業者または販売者によって修理されるまたは完全に交換される。
【０００４】
本発明の実装の間、発明者は、従来技術が少なくとも以下の問題をもつことを見出す：仮想SIMカードが破損すると、ユーザーはその仮想SIMカードを使ったモバイル端末を製造業者に返して、モバイル端末を修理したりまたは機械全体を交換したりすることができるだけであり、結果として、メンテナンス・コストが高く、メンテナンス期間が長い。
【発明の概要】
【０００５】
既存の仮想SIMカードについてメンテナンス・コストが高くメンテナンス期間が長いという問題を解決するために、本発明の実施形態はモバイル端末、メンテナンス・サーバーならびに仮想SIMカードをメンテナンスするための方法および装置を提供する。技術的解決策は以下のとおりである。
【０００６】
第一の側面によれば、モバイル端末が提供され、モバイル端末は仮想加入者識別情報モジュールSIMカードおよび物理的SIMカードの両方をサポートし：プロセッサと、前記プロセッサに接続された通信チップと、前記通信チップに接続されたSIMカード回路とを含む。前記SIMカード回路は、SIMカード切り換えスイッチおよび物理的SIMカード・スロットを含み；
前記SIMカード回路は、前記物理的SIMカードが前記物理的SIMカード・スロットに挿入されていることをチェックするよう構成され；
前記SIMカード回路は、前記SIMカード切り換えスイッチを使うことにより、稼働状態にあるSIMカードを前記仮想SIMカードから前記物理的SIMカードに切り換えるよう構成され；
前記通信チップは前記物理的SIMカードを使うことによってキャリア・ネットワークにアクセスするよう構成され；
前記通信チップは、固定したフォーマットをもちメンテナンス・サーバーによって前記物理的SIMカードに送られるメンテナンス・データを受信するよう構成され、前記メンテナンス・データは識別子フィールドを含み、前記識別子フィールドは前記メンテナンス・データが前記仮想SIMカードのメンテナンス・データであることを同定するために使われ；
前記プロセッサは、前記メンテナンス・データに従って前記仮想SIMカードをメンテナンスするよう構成される。
【０００７】
前記第一の側面の前記第一の可能な実装様式を参照するに、第二の可能な実装様式では、前記モバイル端末はさらに：
前記メンテナンス・データが固定したフォーマットをもつショート・メッセージ・サービス・メッセージであり、前記ショート・メッセージ・サービス・メッセージが前記識別子フィールドおよびメンテナンス・フィールドを担持し；
前記プロセッサはさらに、前記固定したフォーマットをもつ前記ショート・メッセージ・サービス・メッセージが前記識別子フィールドを含むことを検出するよう構成され；
前記プロセッサはさらに、前記ショート・メッセージ・サービス・メッセージを前記識別子フィールドに従って仮想SIMカード・メンテナンス・プログラムに転送するよう構成され；
前記プロセッサはさらに、前記仮想SIMカード・メンテナンス・プログラムを使うことによって前記ショート・メッセージ・サービス・メッセージの内容をデコードして前記メンテナンス・フィールドを得るよう構成され；
前記プロセッサはさらに、前記メンテナンス・フィールドに従って前記仮想SIMカードをメンテナンスするよう構成される、
ことを含む。
【０００８】
前記第一の側面または前記第一の側面の前記第一または第二の可能な実装様式を参照するに、第三の可能な実装様式では、前記モバイル端末はさらに：
前記通信チップがさらに、前記物理的SIMカードを使うことによって前記メンテナンス・サーバーにメンテナンス要求を送るよう構成され、前記メンテナンス要求は前記仮想SIMカードの識別子および前記物理的SIMカードの識別子を含み、
前記仮想SIMカードの識別子は前記仮想SIMカードの識別子に対応するメンテナンス・データを前記物理的SIMカードに対応する前記モバイル端末に送るために前記メンテナンス・サーバーによって使われ；
前記物理的SIMカードの識別子は前記メンテナンス・データを前記物理的SIMカードの識別子に対応する前記モバイル端末に送るために前記メンテナンス・サーバーによって使われる、
ことを含む。
【０００９】
前記第一の側面または前記第一の側面の前記第一または第二または第三の可能な実装様式を参照するに、第四の可能な実装様式では、前記モバイル端末はさらに：
前記SIMカード回路はさらに、前記物理的SIMカードが前記物理的SIMカード・スロットから取り出されることをチェックするよう構成され；
前記SIMカード回路はさらに、前記SIMカード切り換えスイッチを使うことにより、稼働状態にあるSIMカードを前記物理的SIMカードから前記仮想SIMカードに切り換えるよう構成され；
前記通信チップはさらに、前記仮想SIMカードを使うことによってキャリア・ネットワークにアクセスするよう構成される。
【００１０】
第二の側面によれば、メンテナンス・サーバーが提供され、前記メンテナンス・サーバーは：プロセッサと、前記プロセッサに接続された通信ボードとを含み；
前記通信ボードは、モバイル端末またはコンピュータによって送られたメンテナンス要求を受信するよう構成され、前記メンテナンス要求は仮想SIMカードの識別子および物理的SIMカードの識別子を含み；
前記プロセッサはさらに、前記仮想SIMカードの識別子に基づいて、送られる必要があり、固定したフォーマットをもつメンテナンス・データを決定するよう構成され、前記メンテナンス・データは識別子フィールドを含み、前記識別子フィールドは、前記メンテナンス・データが前記仮想SIMカードのメンテナンス・データであることを同定するために使われ；
前記通信ボードはさらに、前記メンテナンス・データを前記物理的SIMカードの識別子に対応するモバイル端末に送るよう構成される。
【００１１】
前記第二の側面の前記第一の可能な実装様式を参照するに、第二の可能な実装様式では、前記メンテナンス・サーバーはさらに：
前記プロセッサがさらに、前記仮想SIMカードの識別子に対応するメンテナンス・データをデータベースから読み、前記メンテナンス・データは固定したフォーマットをもつショート・メッセージ・サービス・メッセージであり、前記ショート・メッセージ・サービス・メッセージが前記識別子フィールドおよびメンテナンス・フィールドを担持し、前記メンテナンス・フィールドは前記仮想SIMカードをメンテナンスするために前記モバイル端末によって使われ；
前記プロセッサはさらに、前記仮想SIMカードの識別子に対応する前記メンテナンス・データが、送られる必要があり、前記固定したフォーマットをもつ前記メンテナンス・データであることを決定するよう構成される。
【００１２】
第三の側面によれば、仮想SIMカードおよび物理的SIMカードの両方をサポートする、仮想加入者識別情報モジュールSIMカードをメンテナンスする方法が提供され、当該方法は：
前記物理的SIMカードが前記物理的SIMカード・スロットに挿入されていることをチェックする段階と；
SIMカード切り換えスイッチを使うことにより、稼働状態にあるSIMカードを前記仮想SIMカードから前記物理的SIMカードに切り換える段階と；
前記物理的SIMカードを使うことによって前記キャリア・ネットワークにアクセスする段階と；
固定したフォーマットをもちメンテナンス・サーバーによって前記物理的SIMカードに送られるメンテナンス・データを受信する段階であって、前記メンテナンス・データは識別子フィールドを含み、前記識別子フィールドは前記メンテナンス・データが前記仮想SIMカードのメンテナンス・データであることを同定するために使われる、段階と；
前記メンテナンス・データに従って前記仮想SIMカードをメンテナンスする段階とを含む。
【００１３】
前記第三の側面の前記第一の可能な実装様式を参照するに、第二の可能な実装様式では、当該方法はさらに：
前記メンテナンス・データが固定したフォーマットをもつショート・メッセージ・サービス・メッセージであり、前記ショート・メッセージ・サービス・メッセージが前記識別子フィールドおよびメンテナンス・フィールドを担持し；
前記メンテナンス・データに従って前記仮想SIMカードをメンテナンスする前記段階が：
前記固定したフォーマットをもつ前記ショート・メッセージ・サービス・メッセージが前記識別子フィールドを含むことを検出し；
前記ショート・メッセージ・サービス・メッセージを前記識別子フィールドに従って仮想SIMカード・メンテナンス・プログラムに転送し；
前記仮想SIMカード・メンテナンス・プログラムを使うことによって前記ショート・メッセージ・サービス・メッセージの内容をデコードして前記メンテナンス・フィールドを得て；
前記メンテナンス・フィールドに従って前記仮想SIMカードをメンテナンスすることを含む、
ことを含む。
【００１４】
前記第三の側面または前記第三の側面の前記第一または第二の可能な実装様式を参照するに、第三の可能な実装様式では、固定したフォーマットをもちメンテナンス・サーバーによって送られるメンテナンス・データを前記物理的SIMカードを使うことによって受信する前に、当該方法は：
前記物理的SIMカードを使うことによって前記メンテナンス・サーバーにメンテナンス要求を送ることを含み、前記メンテナンス要求は前記仮想SIMカードの識別子および前記物理的SIMカードの識別子を含み、
前記仮想SIMカードの識別子は前記仮想SIMカードの識別子に対応するメンテナンス・データを前記物理的SIMカードに対応するモバイル端末に送るために前記メンテナンス・サーバーによって使われ；
前記物理的SIMカードの識別子は前記メンテナンス・データを前記物理的SIMカードの識別子に対応する前記モバイル端末に送るために前記メンテナンス・サーバーによって使われる。
【００１５】
前記第三の側面または前記第三の側面の前記第一または第二または第三の可能な実装様式を参照するに、第四の可能な実装様式では、前記メンテナンス・データに従って前記仮想SIMカードをメンテナンスする前記段階の後にさらに：
前記物理的SIMカードが前記物理的SIMカード・スロットから取り出されることをチェックし；
前記SIMカード切り換えスイッチを使うことにより、稼働状態にあるSIMカードを前記物理的SIMカードから前記仮想SIMカードに切り換え；
前記仮想SIMカードを使うことによってキャリア・ネットワークにアクセスすることを含む。
【００１６】
第四の側面によれば、仮想加入者識別情報モジュールSIMカードをメンテナンスする方法が提供され、当該方法は：
モバイル端末またはコンピュータによって送られたメンテナンス要求を受信する段階であって、前記メンテナンス要求は仮想SIMカードの識別子および物理的SIMカードの識別子を含む、段階と；
前記仮想SIMカードの識別子に基づいて、送られる必要があり、固定したフォーマットをもつメンテナンス・データを決定する段階であって、前記メンテナンス・データは識別子フィールドを含み、前記識別子フィールドは、前記メンテナンス・データが前記仮想SIMカードのメンテナンス・データであることを同定するために使われる、段階と；
前記メンテナンス・データを前記物理的SIMカードの識別子に対応するモバイル端末に送る段階とを含む。
【００１７】
前記第四の側面の前記第一の可能な実装様式を参照するに、第二の可能な実装様式では、前記仮想SIMカードの識別子に基づいて、送られる必要があり、固定したフォーマットをもつメンテナンス・データを決定する前記段階は：
前記仮想SIMカードの識別子に対応するメンテナンス・データをデータベースから読む段階であって、前記メンテナンス・データは固定したフォーマットをもつショート・メッセージ・サービス・メッセージであり、前記ショート・メッセージ・サービス・メッセージが前記識別子フィールドおよびメンテナンス・フィールドを担持し、前記メンテナンス・フィールドは前記仮想SIMカードをメンテナンスするために前記モバイル端末によって使われる、段階と；
前記仮想SIMカードの識別子に対応する前記メンテナンス・データが、送られる必要があり、前記固定したフォーマットをもつ前記メンテナンス・データであることを決定する段階とを含む。
【００１８】
第五の側面によれば、仮想SIMカードおよび物理的SIMカードの両方をサポートする、仮想加入者識別情報モジュールSIMカードをメンテナンスするための装置が提供され、当該装置は：
前記物理的SIMカードが前記物理的SIMカード・スロットに挿入されていることをチェックするよう構成されたチェック・モジュールと；
SIMカード切り換えスイッチを使うことにより、稼働状態にあるSIMカードを前記仮想SIMカードから前記物理的SIMカードに切り換えるよう構成された切り換えモジュールと；
前記物理的SIMカードを使うことによってキャリア・ネットワークにアクセスするよう構成されたネットワーク・アクセス・モジュールと；
固定したフォーマットをもちメンテナンス・サーバーによって前記物理的SIMカードに送られるメンテナンス・データを受信するよう構成された受信モジュールであって、前記メンテナンス・データは識別子フィールドを含み、前記識別子フィールドは前記メンテナンス・データが前記仮想SIMカードのメンテナンス・データであることを同定するために使われる、受信モジュールと；
前記メンテナンス・データに従って前記仮想SIMカードをメンテナンスするよう構成されたメンテナンス・モジュールとを含む。
【００１９】
前記第五の側面の前記第一の可能な実装様式を参照するに、第二の可能な実装様式では、当該装置はさらに：
前記メンテナンス・データが固定したフォーマットをもつショート・メッセージ・サービス・メッセージであり、前記ショート・メッセージ・サービス・メッセージが前記識別子フィールドおよびメンテナンス・フィールドを担持し；
前記メンテナンス・モジュールは：
前記固定したフォーマットをもつ前記ショート・メッセージ・サービス・メッセージが前記識別子フィールドを含むことを検出するよう構成された識別子検出ユニットと；
前記ショート・メッセージ・サービス・メッセージを前記識別子フィールドに従って仮想SIMカード・メンテナンス・プログラムに転送するよう構成された情報転送ユニットと；
前記仮想SIMカード・メンテナンス・プログラムを使うことによって前記ショート・メッセージ・サービス・メッセージの内容をデコードして前記メンテナンス・フィールドを得るよう構成された内容デコード・ユニットと；
前記メンテナンス・フィールドに従って前記仮想SIMカードをメンテナンスするよう構成されたデータ・メンテナンス・ユニットとを含む、
ことを含む。
【００２０】
前記第五の側面または前記第五の側面の前記第一または第二の可能な実装様式を参照するに、第三の可能な実装様式では、当該装置はさらに：
前記物理的SIMカードを使うことによって前記メンテナンス・サーバーにメンテナンス要求を送るよう構成された要求送信モジュールを含み、前記メンテナンス要求は前記仮想SIMカードの識別子および前記物理的SIMカードの識別子を含み、
前記仮想SIMカードの識別子は前記仮想SIMカードの識別子に対応するメンテナンス・データを前記物理的SIMカードに対応するモバイル端末に送るために前記メンテナンス・サーバーによって使われ；
前記物理的SIMカードの識別子は前記メンテナンス・データを前記物理的SIMカードの識別子に対応する前記モバイル端末に送るために前記メンテナンス・サーバーによって使われる。
【００２１】
前記第五の側面または前記第五の側面の前記第一または第二または第三の可能な実装様式を参照するに、第四の可能な実装様式では、当該装置は：
前記物理的SIMカードが前記物理的SIMカード・スロットから取り出されることをチェックするよう構成されたSIMカード検出モジュールと；
前記SIMカード切り換えスイッチを使うことにより、稼働状態にあるSIMカードを前記物理的SIMカードから前記仮想SIMカードに切り換えるよう構成されたネットワーク切り換えモジュールと；
前記仮想SIMカードを使うことによってキャリア・ネットワークにアクセスするよう構成されたネットワーク・アクセス・モジュールとを含む。
【００２２】
第六の側面によれば、仮想加入者識別情報モジュールSIMカードをメンテナンスするための装置が提供され、当該装置は：
モバイル端末またはコンピュータによって送られたメンテナンス要求を受信するよう構成された要求受信モジュールであって、前記メンテナンス要求は仮想SIMカードの識別子および物理的SIMカードの識別子を含む、要求受信モジュールと；
前記仮想SIMカードの識別子に基づいて、送られる必要があり、固定したフォーマットをもつメンテナンス・データを決定するよう構成されたデータ決定モジュールであって、前記メンテナンス・データは識別子フィールドを含み、前記識別子フィールドは、前記メンテナンス・データが前記仮想SIMカードのメンテナンス・データであることを同定するために使われる、データ決定モジュールと；
前記メンテナンス・データを前記物理的SIMカードの識別子に対応するモバイル端末に送るよう構成されたデータ送信モジュールとを含む。
【００２３】
前記第六の側面の前記第一の可能な実装様式を参照するに、第二の可能な実装様式では、前記データ決定モジュールは：
前記仮想SIMカードの識別子に対応するメンテナンス・データをデータベースから読むよう構成されたデータ読み込みユニットであって、前記メンテナンス・データは固定したフォーマットをもつショート・メッセージ・サービス・メッセージであり、前記ショート・メッセージ・サービス・メッセージが前記識別子フィールドおよびメンテナンス・フィールドを担持し、前記メンテナンス・フィールドは前記仮想SIMカードをメンテナンスするために前記モバイル端末によって使われる、データ読み込みユニットと；
前記仮想SIMカードの識別子に対応する前記メンテナンス・データが、送られる必要があり、前記固定したフォーマットをもつ前記メンテナンス・データであることを決定するよう構成されたデータ決定ユニットとを含む。
【００２４】
本発明の実施形態において提供される技術的解決策は以下の有益な効果をもつ。
【００２５】
モバイル端末は物理的SIMカードを使うことによってネットワークにアクセスし、よってモバイル端末はメンテナンス・サーバーによって送られるメンテナンス・データを受信し、該メンテナンス・データに従って仮想SIMカードをメンテナンスすることができる。前記物理的SIMカードは、前記仮想SIMカードをメンテナンスすることにおいて支援するよう構成され、よって、モバイル端末内の仮想SIMカードのデータが破損した後、前記仮想SIMカードは、モバイル端末をメンテナンスのために製造業者に返すことなく、メンテナンスされることができる。これは、仮想SIMカードが破損するとメンテナンス・コストが高く、メンテナンス期間が長いという問題を解決するとともに、これは仮想SIMカードのメンテナンス・コストを低下させ、メンテナンス期間を短くする。
【図面の簡単な説明】
【００２６】
本発明の実施形態における技術的解決策をより明瞭に記述するために、下記は実施形態を記述するために要求される付属の図面を手短かに記述する。明らかに、以下の記述における付属の図面は単に本発明のいくつかの実施形態を示すものであり、当業者は創造的な努力なしにこれらの付属の図面から他の図面を導出しうる。
【図１】本発明の諸実施形態に基づくメンテナンス・システムの概略的なアーキテクチャー図である。
【図２】本発明のある実施形態に基づくモバイル端末の概略的な構造図である。
【図３】本発明のある実施形態に基づくメンテナンス・サーバーの概略的な構造図である。
【図４】本発明のある実施形態に基づく、仮想SIMカードをメンテナンスするための方法の方法フローチャートである。
【図５Ａ】本発明の別の実施形態に基づく、仮想SIMカードをメンテナンスするための方法の方法フローチャートである。
【図５Ｂ】本発明のある実施形態に基づく、SIMカードの選択インターフェースの概略的なインターフェース図である。
【図５Ｃ】本発明のある実施形態に基づく、仮想SIMカードのメンテナンス結果の問い合わせインターフェースの概略図である。
【図６】本発明のさらにもう一つの実施形態に基づく、仮想SIMカードをメンテナンスするための方法の方法フローチャートである。
【図７】本発明のさらにもう一つの実施形態に基づく、仮想SIMカードをメンテナンスするための方法の方法フローチャートである。
【図８】本発明のさらにもう一つの実施形態に基づく、仮想SIMカードをメンテナンスするための方法の方法フローチャートである。
【図９】本発明のある実施形態に基づく、仮想SIMカードをメンテナンスするための装置の概略的な構造図である。
【図１０】本発明の別の実施形態に基づく、仮想SIMカードをメンテナンスするための装置の概略的な構造図である。
【図１１】本発明のさらにもう一つの実施形態に基づく、仮想SIMカードをメンテナンスするための装置の概略的な構造図である。
【図１２】本発明のさらにもう一つの実施形態に基づく、仮想SIMカードをメンテナンスするための装置の概略的な構造図である。
【発明を実施するための形態】
【００２７】
本発明の目的、技術的解決策および利点を一層明確にするために、下記は本発明の実施形態をさらに、付属の図面を参照して詳細に記述する。
【００２８】
図１を参照するに、図１は、本発明の諸実施形態に基づくメンテナンス・システムの概略的なアーキテクチャー図である。メンテナンス・システムは、モバイル端末１１０、メンテナンス・サーバー１２０およびコンピュータ１３０を含んでいる。
【００２９】
モバイル端末１１０は、仮想SIMカードおよび物理的SIMカードの両方をサポートするモバイル端末であり、モバイル端末１１０はメンテナンス要求をメンテナンス・サーバー１２０に送る、あるいはメンテナンス・サーバー１２０によって送られたメンテナンス・データを受信するよう構成されていてもよい。物理的SIMカードはSIMカード、ユニバーサル加入者識別情報モジュール（英語：Universal  Subscriber  Identity  Module、略称：USIM）カードなどであってもよい。仮想SIMカードは、ソフトウェア方法を使うことによって実装されるSIM機能（英語：SoftSIM、略称：ソフトSIM）であってもよい。
【００３０】
メンテナンス・サーバー１２０は、モバイル端末１１０またはコンピュータ１３０によって送られたメンテナンス要求を受信する、あるいはメンテナンス・データをモバイル端末１１０に送るよう構成される。
【００３１】
コンピュータ１３０はメンテナンス要求をメンテナンス・サーバー１２０に送るよう構成され、コンピュータ１３０はパーソナル・コンピュータ、タブレット・コンピュータなどであってもよい。
【００３２】
モバイル端末１１０およびコンピュータ１３０の一方がメンテナンス要求をメンテナンス・サーバー１２０に送る場合、他方はメンテナンス要求をメンテナンス・サーバー１２０に送る必要はないことを注意しておくべきである。
【００３３】
図２を参照するに、図２は、本発明のある実施形態に基づくモバイル端末の概略的な構造図である。モバイル端末は仮想加入者識別情報モジュールSIMカードおよび物理的SIMカードの両方をサポートする。モバイル端末は：プロセッサ２１０と、メモリ２２０と、前記プロセッサ２１０に接続された通信チップ２３０と、前記通信チップ２３０に接続されたSIMカード回路２４０とを含む。メモリ２２０は一つまたは複数の命令を記憶し、前記命令はプロセッサ２１０によって実行されるよう構成される。通信チップ２３０は、ベースバンド・チップおよび高周波チップの組み合わせを指す。SIMカード回路２４０はSIMカード切り換えスイッチ２４１および物理的SIMカード・スロット２４２を含む。
【００３４】
SIMカード回路２４０は、物理的SIMカードが物理的SIMカード・スロット２４２に挿入されることをチェックするよう構成される。
【００３５】
SIMカード回路２４０は、SIMカード切り換えスイッチ２４１を使うことにより、稼働状態にあるSIMカードを仮想SIMカードから物理的SIMカードに切り換えるよう構成される。
【００３６】
通信チップ２３０は物理的SIMカードを使うことによってキャリア・ネットワークにアクセスするよう構成される。
【００３７】
通信チップ２３０は、固定したフォーマットをもちメンテナンス・サーバーによって物理的SIMカードに送られるメンテナンス・データを受信するよう構成される。メンテナンス・データは識別子フィールドを含み、該識別子フィールドは前記メンテナンス・データが前記仮想SIMカードのメンテナンス・データであることを同定するために使われる。
【００３８】
プロセッサ２１０は、メンテナンス・データに従って仮想SIMカードをメンテナンスするよう構成される。
【００３９】
まとめると、この実施形態において提供されるモバイル端末によれば、該モバイル端末は、物理的SIMカードを使うことによってネットワークにアクセスし、それにより該モバイル端末はメンテナンス・サーバーによって送られたメンテナンス・データを受信し、該メンテナンス・データに従って仮想SIMカードをメンテナンスしうる。物理的SIMカードは仮想SIMカードをメンテナンスすることにおいて支援するよう構成され、それにより、モバイル端末中の仮想SIMカードのデータが破損した後、仮想SIMカードは、モバイル端末をメンテナンスのために製造業者に返すことなく、メンテナンスできる。このことは、仮想SIMカードが破損したとき、メンテナンス・コストが高く、メンテナンス期間が長いという問題を解決し、これは仮想SIMカードのメンテナンス・コストを低下させ、メンテナンス期間を短縮する。
【００４０】
任意的には、メンテナンス・データは固定したフォーマットをもつショート・メッセージ・サービス・メッセージである。該ショート・メッセージ・サービス・メッセージは前記識別子フィールドおよびメンテナンス・フィールドを担持する。
【００４１】
プロセッサ２１０はさらに、前記固定したフォーマットをもつ前記ショート・メッセージ・サービス・メッセージが前記識別子フィールドを含むことを検出するよう構成される。
【００４２】
プロセッサ２１０はさらに、前記ショート・メッセージ・サービス・メッセージを前記識別子フィールドに従って仮想SIMカード・メンテナンス・プログラムに転送するよう構成される。
【００４３】
プロセッサ２１０はさらに、仮想SIMカード・メンテナンス・プログラムを使うことによって前記ショート・メッセージ・サービス・メッセージの内容をデコードして前記メンテナンス・フィールドを得るよう構成される。
【００４４】
プロセッサ２１０はさらに、前記メンテナンス・フィールドに従って仮想SIMカードをメンテナンスするよう構成される。
【００４５】
任意的には、通信チップ２３０はさらに、物理的SIMカードを使うことによってメンテナンス・サーバーにメンテナンス要求を送るよう構成される。メンテナンス要求は仮想SIMカードの識別子および物理的SIMカードの識別子を含む。
【００４６】
仮想SIMカードの識別子は仮想SIMカードの識別子に対応するメンテナンス・データを物理的SIMカードに対応するモバイル端末に送るためにメンテナンス・サーバーによって使われる。
【００４７】
物理的SIMカードの識別子はメンテナンス・データを物理的SIMカードの識別子に対応する前記モバイル端末に送るためにメンテナンス・サーバーによって使われる。
【００４８】
任意的には、SIMカード回路２４０はさらに、物理的SIMカードが物理的SIMカード・スロットから取り出されることをチェックするよう構成される。
【００４９】
SIMカード回路２４０はさらに、SIMカード切り換えスイッチを使うことにより、稼働状態にあるSIMカードを物理的SIMカードから仮想SIMカードに切り換えるよう構成される。
【００５０】
通信チップ２３０はさらに、仮想SIMカードを使うことによってキャリア・ネットワークにアクセスするよう構成される。
【００５１】
図３を参照するに、図３は、本発明のある実施形態に基づくメンテナンス・サーバーの概略的な構造図である。メンテナンス・サーバーは：プロセッサ３１０と、メモリ３２０と、プロセッサ３１０に接続された通信ボード３３０とを含む。メモリ３２０は一つまたは複数の命令を含み、前記命令はプロセッサ３１０によって実行されるよう構成される。通信ボード３３０はイーサネット・ネットワーク・インターフェース・カードまたは無線ネットワーク・インターフェース・カードである。
【００５２】
通信ボード３３０は、モバイル端末またはコンピュータによって送られたメンテナンス要求を受信するよう構成される。メンテナンス要求は仮想SIMカードの識別子および物理的SIMカードの識別子を含む。
【００５３】
プロセッサ３１０は、仮想SIMカードの識別子に基づいて、送られる必要があり、固定したフォーマットをもつメンテナンス・データを決定するよう構成される。メンテナンス・データは識別子フィールドを含み、前記識別子フィールドは、前記メンテナンス・データが前記仮想SIMカードのメンテナンス・データであることを同定するために使われる。
【００５４】
通信ボード３３０はさらに、メンテナンス・データを物理的SIMカードの識別子に対応するモバイル端末に送るよう構成される。
【００５５】
まとめると、この実施形態において提供されるメンテナンス・サーバーによれば、モバイル端末は、物理的SIMカードを使うことによってネットワークにアクセスし、それにより該モバイル端末はメンテナンス・サーバーによって送られたメンテナンス・データを受信し、該メンテナンス・データに従って仮想SIMカードをメンテナンスしうる。物理的SIMカードは仮想SIMカードをメンテナンスすることにおいて支援するよう構成され、それにより、モバイル端末中の仮想SIMカードのデータが破損した後、仮想SIMカードは、モバイル端末をメンテナンスのために製造業者に返すことなく、メンテナンスできる。このことは、仮想SIMカードが破損したとき、メンテナンス・コストが高く、メンテナンス期間が長いという問題を解決し、これは仮想SIMカードのメンテナンス・コストを低下させ、メンテナンス期間を短縮する。
【００５６】
任意的には、メンテナンス・サーバーはさらに次のことを含む：
プロセッサ３１０はさらに、仮想SIMカードの識別子に対応するメンテナンス・データをデータベースから読み、該メンテナンス・データは固定したフォーマットをもつショート・メッセージ・サービス・メッセージであり、該ショート・メッセージ・サービス・メッセージは前記識別子フィールドおよびメンテナンス・フィールドを担持し、該メンテナンス・フィールドは仮想SIMカードをメンテナンスするためにモバイル端末によって使われる。
【００５７】
プロセッサ３１０はさらに、仮想SIMカードの識別子に対応する前記メンテナンス・データが、送られる必要があり、前記固定したフォーマットをもつ前記メンテナンス・データであることを決定するよう構成される。
【００５８】
図４を参照するに、図４は、本発明のある実施形態に基づく、仮想SIMカードをメンテナンスするための方法の方法フローチャートである。この方法は、図１に示されるモバイル端末に適用され、以下を含む。
【００５９】
段階４０１：物理的SIMカードが物理的SIMカード・スロットに挿入されることをチェックする。
【００６０】
段階４０２：SIMカード切り換えスイッチを使うことにより、稼働状態にあるSIMカードを仮想SIMカードから物理的SIMカードに切り換える。
【００６１】
段階４０３：物理的SIMカードを使うことによってキャリア・ネットワークにアクセスする。
【００６２】
段階４０４：固定したフォーマットをもちメンテナンス・サーバーによって物理的SIMカードに送られるメンテナンス・データを受信する。ここで、メンテナンス・データは識別子フィールドを含み、該識別子フィールドは前記メンテナンス・データが前記仮想SIMカードのメンテナンス・データであることを同定するために使われる。
【００６３】
段階４０５：前記メンテナンス・データに従って仮想SIMカードをメンテナンスする。
【００６４】
まとめると、この実施形態において提供される仮想SIMカードをメンテナンスする方法によれば、モバイル端末は、物理的SIMカードを使うことによってネットワークにアクセスし、それにより該モバイル端末はメンテナンス・サーバーによって送られたメンテナンス・データを受信し、該メンテナンス・データに従って仮想SIMカードをメンテナンスしうる。物理的SIMカードは仮想SIMカードをメンテナンスすることにおいて支援するよう構成され、それにより、モバイル端末中の仮想SIMカードのデータが破損した後、仮想SIMカードは、モバイル端末をメンテナンスのために製造業者に返すことなく、メンテナンスできる。このことは、仮想SIMカードが破損したとき、メンテナンス・コストが高く、メンテナンス期間が長いという問題を解決し、これは仮想SIMカードのメンテナンス・コストを低下させ、メンテナンス期間を短縮する。
【００６５】
図５Ａを参照するに、図５Ａは、本発明の別の実施形態に基づく、仮想SIMカードをメンテナンスするための方法の方法フローチャートである。この方法は、図１に示されるモバイル端末に適用され、以下を含む。
【００６６】
段階５０１：物理的SIMカードが物理的SIMカード・スロットに挿入されることをチェックする。
【００６７】
仮想SIMカードとは、SIM機能がソフトウェアを使うことによって実装される解決策である。モバイル端末に組み込まれている仮想SIMカードが破損した後、キャリア・ネットワークは破損した仮想SIMカードを識別できない。結果として、モバイル端末は仮想SIMカードを使ってネットワークにアクセスできない。
【００６８】
仮想SIMカードが破損した後でもモバイル端末がネットワークにアクセスできるようにするために、本発明のこの実施形態では、物理的SIMカードを使うことによってネットワーク・サービスが得られる。物理的SIMカードは、モバイル端末の内蔵SIMカード・スロットまたはモバイル端末の外部SIMカード・スロットを使うことによってモバイル端末に接続されうる。
【００６９】
ある可能な実装様式では、仮想SIMカードが破損していることを検出した後、モバイル端末は、あらかじめ設定された時間期間毎に、物理的SIMカードが物理的SIMカード・スロットに挿入されているかどうかをチェックする。
【００７０】
もう一つの可能な実装様式では、外部の物理的SIMカードのホットプラグ可能な検出をサポートしているときは、モバイル端末は、物理的SIMカードが物理的SIMカード・スロットに挿入されるかどうかをリアルタイムでチェックしうる。その実装様式は以下のようになりうる。
【００７１】
物理的SIMカードが物理的SIMカード・スロットに挿入された後、SIMカード回路の対応するピンが物理的SIMカードの挿入を検出する。この場合、SIMカード回路は、割り込み信号を生成し、該割り込み信号をプロセッサに送信する。割り込み信号を検出したのち、プロセッサは、物理的SIMカードが物理的SIMカード・スロットに挿入されていることを判定する。
【００７２】
上記の二つの実装様式は単に記述目的のためであり、モバイル端末が仮想SIMカードが破損していることを検出した後にモバイル端末が物理的SIMカードが物理的SIMカード・スロットに挿入されているかどうかをチェックするチェックの仕方は、本発明のこの実施形態において限定されない。
【００７３】
段階５０２：SIMカード切り換えスイッチを使うことにより、稼働状態にあるSIMカードを仮想SIMカードから物理的SIMカードに切り換える。
【００７４】
物理的SIMカードが物理的SIMカード・スロットに挿入されていることをチェックした後、プロセッサは、SIMカード回路に含まれるSIMカード切り換えスイッチを切り換えるために使われる切り換え命令を、SIMカード回路に送ってもよい。切り換え命令を受信した後、SIMカード回路は、SIMカード切り換えスイッチを切り換えることによって、稼働状態にある仮想SIMカードを物理的SIMカードに切り換える。
【００７５】
物理的SIMカードが物理的SIMカード・スロットに挿入されていることをチェックした後、モバイル端末は、該モバイル端末の表示インターフェース上に仮想SIMカードおよび物理的SIMカードのオプションを提供してもよく、ユーザーが、モバイル端末によって提供されるそれらのオプションを使うことによって、モバイル端末によって現在使われているSIMカードを仮想SIMカードから物理的SIMカードに切り換えてもよく、SIMカード選択インターフェースが図５Ｂのように示されてもよいことを注意しておくべきである。
【００７６】
段階５０３：物理的SIMカードを使うことによってキャリア・ネットワークにアクセスする。
【００７７】
通信チップは、新たに挿入された物理的SIMカードを使うことによってネットワーク・サービスを得て、キャリアによって提供されるネットワークにアクセスする。
【００７８】
段階５０４：物理的SIMカードを使うことによってメンテナンス・サーバーにメンテナンス要求を送る。メンテナンス要求は仮想SIMカードの識別子および物理的SIMカードの識別子を含み、仮想SIMカードの識別子は仮想SIMカードの識別子に対応するメンテナンス・データを物理的SIMカードに対応するモバイル端末に送るためにメンテナンス・サーバーによって使われ、物理的SIMカードの識別子は前記メンテナンス・データを物理的SIMカードの識別子に対応するモバイル端末に送るためにメンテナンス・サーバーによって使われる。
【００７９】
物理的SIMカードを使うモバイル端末が通信チップを使うことによってネットワークにアクセスした後、ユーザーは、キャリアによって提供されるメンテナンス・ウェブサイトにログインするためにモバイル端末を使ってもよく、該メンテナンス・ウェブサイトを使うことによって仮想SIMカードのメンテナンス要求をメンテナンス・サーバーに送る。
【００８０】
メンテナンス・サーバーのデータベースが各仮想SIMカードのメンテナンス・データを記憶しており、メンテナンス・データは各仮想SIMカードの事前記憶されたバックアップ・データであってもよい。物理的SIMカードを使うことによってモバイル端末によって送られたメンテナンス要求を受信した後、メンテナンス・サーバーは仮想SIMカードに対応するメンテナンス・データをデータベースから得る必要がある。
【００８１】
異なる仮想SIMカードのデータは異なるので、異なる仮想SIMカードによって必要とされるメンテナンス・データも異なり、メンテナンス・サーバーは、モバイル端末によって必要とされるメンテナンス・データを得るために、破損した仮想SIMカードの識別子に従って異なる仮想SIMカードを区別する必要がある。したがって、メンテナンス・サーバーにモバイル端末によって必要とされるメンテナンス・データを決定させるために、モバイル端末によって送られるメンテナンス要求は破損した仮想SIMカードの識別子を担持する必要がある。識別子は仮想SIMカードのカード番号であってもよく、あるいは仮想SIMカードの集積回路カード識別子（英語：Integrated  circuit  card  identity、略称：ICCID）であってもよい。
【００８２】
さらに、破損した仮想SIMカードに対応するメンテナンス・データを決定した後、メンテナンス・サーバーはさらに、そのメンテナンス・データが送られる必要があるモバイル端末を決定する必要がある。メンテナンス・サーバーに、メンテナンス要求を送ったモバイル端末にメンテナンス・データを正しく送らせるために、通信チップによって送られるメンテナンス要求はさらに、現在使われている物理的SIMカードの識別子を担持する必要がある。識別子は物理的SIMカードのカード番号であってもよく、あるいは物理的SIMカードのICCIDであってもよい。
【００８３】
一般的な仮想SIMカード・ユーザーの仮想SIMカードのセキュリティを確かにするため、メンテナンス要求をメンテナンス・サーバーに送る前に、ユーザーはさらに、キャリアによって承認されたメンテナンス・サーバーにメンテナンス要求を送る権利を得る必要があることを注意しておくべきである。
【００８４】
この段階の代替的な実装様式では、ユーザーは、コンピュータを使うことによって、キャリアによって提供されるメンテナンス・ウェブサイトにはいって、仮想SIMの識別子および物理的SIMカードの識別子を含むメンテナンス要求をメンテナンス・サーバーに送ってもよい。
【００８５】
従来技術では、通信チップが物理的SIMカードを使うことによってメンテナンス要求をメンテナンス・サーバーに送った後、メンテナンス・サーバーは物理的SIMカードの識別子に従ってメンテナンス・データを生成し、そのメンテナンス・データをモバイル端末に送り、モバイル端末は、前記メンテナンス・データに含まれる、前記メンテナンス・データが前記物理的SIMカードのメンテナンス・データであることを同定するために使われる識別子フィールドに従って、前記メンテナンス・データを、物理的SIMカードに対応する処理のために、前記物理的SIMカード・メンテナンス・プログラムに送る。
【００８６】
従来技術では、通信チップが仮想SIMカードを使うことによってメンテナンス要求をメンテナンス・サーバーに送った後、メンテナンス・サーバーは仮想SIMカードの識別子に従ってメンテナンス・データを生成し、そのメンテナンス・データをモバイル端末に送り、モバイル端末は、前記メンテナンス・データに含まれる、前記メンテナンス・データが前記仮想SIMカードのメンテナンス・データであることを同定するために使われる識別子フィールドに従って、前記メンテナンス・データを、前記仮想SIMカードに対応する処理のために、仮想SIMカード・メンテナンス・プログラムに送る。
【００８７】
従来技術では、物理的SIMカードおよび仮想SIMカードが両方ともモバイル端末にインストールされている場合、モバイル端末がそれらのSIMカードの一方を使うことによってメンテナンス要求をメンテナンス・サーバーに送った後、モバイル端末は受信されたメンテナンス・データをそのSIMカードの処理のためのメンテナンス・プログラムに送るが、そのメンテナンス・データを他方のSIMカードの処理のためのメンテナンス・プログラムに送ることはしない。
【００８８】
しかしながら、本発明のこの実施形態では、モバイル端末が物理的SIMカードを使うことによってメンテナンス要求を送った後、メンテナンス要求は物理的SIMカードの識別子および仮想SIMカードの識別子を両方とも担持するので、メンテナンス・サーバーは、仮想SIMカードの識別子に従ってメンテナンス・データを生成し、生成されたメンテナンス・データにおける識別子フィールドを、そのメンテナンス・データが前記仮想SIMカードのメンテナンス・データであることを同定するために使われる識別子フィールドに設定し、次いで、そのメンテナンス・データを前記物理的SIMカードの識別子に対応するモバイル端末に送る。それにより、メンテナンス・データにおいて、そのメンテナンス・データが前記仮想SIMカードのメンテナンス・データであることを同定するために使われる識別子フィールドを検出した後、モバイル端末はそのメンテナンス・データを、物理的SIMカードに対応する処理のために物理的SIMカード・メンテナンス・プログラムに送らなくてもよく、そのメンテナンス・データを仮想SIMカードに対応する処理のために仮想SIMカード・メンテナンス・プログラムに送る。
【００８９】
たとえば、モバイル端末が物理的SIMカードを使うことによってメンテナンス要求をメンテナンス・サーバーに送った後、メンテナンス・サーバーは、メンテナンス要求において担持される仮想SIMカードの識別子に従ってショート・メッセージ・サービス・メッセージ：SMS  PPダウンロード（SMS  PP-Download）を生成し、また、該SMS  PPダウンロードにおけるTAR値を、そのメンテナンス・データが前記仮想SIMカードのメンテナンス・データであることを同定するために使われる仮想SIMカード・メンテナンス専用値に設定し、次いで、該SMS  PPダウンロードを、メンテナンス要求において担持されている物理的SIMカードの識別子に対応するモバイル端末に送る。SMS  PPダウンロードを受信した後、モバイル端末は、仮想SIMカード・メンテナンス専用値に従って、SMS  PPダウンロードを、前記仮想SIMカードに対応する処理のための仮想SIMカード・メンテナンス・プログラムに送る。
【００９０】
段階５０５：固定したフォーマットをもちメンテナンス・サーバーによって物理的SIMカードに送られるメンテナンス・データを受信する。ここで、メンテナンス・データは固定したフォーマットをもつショート・メッセージ・サービス・メッセージであり、該ショート・メッセージ・サービス・メッセージは識別子フィールドおよびメンテナンス・フィールドを含む。
【００９１】
モバイル端末は、通信チップを使うことによって、固定したフォーマットをもちメンテナンス・サーバーによって送られるメンテナンス・データを受信する。
【００９２】
段階５０６：固定したフォーマットをもつ前記ショート・メッセージ・サービス・メッセージが前記識別子フィールドを含むことを検出する。
【００９３】
モバイル端末が固定したフォーマットをもつショート・メッセージ・サービス・メッセージを受信した後、プロセッサは、該固定したフォーマットに従って、そのショート・メッセージ・サービス・メッセージがSIMカードをメンテナンスするために使われるメンテナンス・データであることを判別してもよい。そのショート・メッセージ・サービス・メッセージがSIMカードをメンテナンスするために使われるメンテナンス・データであることを判別するとき、プロセッサは、そのショート・メッセージ・サービス・メッセージが仮想SIMカードをメンテナンスするために使われることを同定するために使われる前記識別子フィールドが、そのショート・メッセージ・サービス・メッセージに含まれているかどうかを検出することに進み、プロセッサが、前記識別子フィールドがそのショート・メッセージ・サービス・メッセージに含まれていることを検出する場合、プロセッサは、そのメンテナンス・データを、前記仮想SIMカードに対応する仮想SIMカード・メンテナンス・プログラムに送ることを決定する。
【００９４】
段階５０７：前記識別子フィールドに従って、前記ショート・メッセージ・サービス・メッセージを仮想SIMカード・メンテナンス・プログラムに転送する。
【００９５】
プロセッサが、そのショート・メッセージ・サービス・メッセージが仮想SIMカードをメンテナンスするために使われることを同定するために使われる前記識別子フィールドが、そのショート・メッセージ・サービス・メッセージに含まれていることを検出する場合、プロセッサはそのショート・メッセージ・サービス・メッセージを仮想SIMカードに対応する仮想SIMカード・メンテナンス・プログラムに送る。
【００９６】
仮想SIMカード・メンテナンス・プログラムは、ショート・メッセージ・サービス・メッセージを得る前にアクティブ化され、初期化される必要があることを注意しておくべきである。一般に、モバイル端末が電源投入状態にあるとき、仮想SIMカード・メンテナンス・プログラムはすでにアクティブ化および初期化を完了している。
【００９７】
段階５０８：仮想SIMカード・メンテナンス・プログラムを使うことによってショート・メッセージ・サービス・メッセージの内容をデコードして、前記メンテナンス・フィールドを得る。
【００９８】
段階５０９：前記メンテナンス・フィールドに従って前記仮想SIMカードをメンテナンスする。
【００９９】
仮想SIMカード・メンテナンス・プログラムを使うことによってショート・メッセージ・サービス・メッセージの内容をデコードして、前記メンテナンス・フィールドを得たのち、プロセッサはそのメンテナンス・フィールドに従って前記仮想SIMカードをメンテナンスしてもよい。
【０１００】
プロセッサは、以下の諸方法を使うことによって仮想SIMカードをメンテナンスしうる：
【０１０１】
（１）前記メンテナンス・フィールドに従って、仮想SIMカード内の破損したデータが、キャリアによって提供されるフォーマットに従って復元される。
【０１０２】
仮想SIMカードをメンテナンスするために方法（１）が使われるときは、プロセッサは、仮想SIMカードのメンテナンスを完了するために、仮想SIMカード内の失われたまたは正しくないデータを復元する必要がある。
【０１０３】
（２）前記メンテナンス・フィールドに従って、仮想SIMカード内のデータが、キャリアによって提供されるフォーマットに従って書き換えられる。
【０１０４】
仮想SIMカードをメンテナンスするために方法（２）が使われるときは、プロセッサは、メンテナンス・データに担持されている仮想SIMカードのバックアップ・データを仮想SIMカードに書き込みうる。すなわち仮想SIMカードの完全なデータが、仮想SIMカードの破損したデータをカバーまたは交換するために使われる。
【０１０５】
仮想SIMカードのメンテナンス作業が完了した後、モバイル端末はさらに、前記ネットワークを使うことによって、仮想SIMカードのメンテナンス結果を担持するフィードバック情報をメンテナンス・サーバーに送ってもよい。モバイル端末によって送られるフィードバック情報を受信した後、メンテナンス・サーバーはフィードバック情報に従って、仮想SIMカードのメンテナンス結果および仮想SIMカードのカード番号をメンテナンス・ウェブサイトにおいて対応して記録してもよい。
【０１０６】
ユーザーは、メンテナンス・ウェブサイトを使うことによって、仮想SIMカードのメンテナンス結果についての情報を問い合わせてもよい。たとえば、ユーザーは、仮想SIMカードのメンテナンス結果を得るよう、メンテナンス・ウェブサイトによって提供される仮想SIMカードのカード番号入力フィールドにおいて、メンテナンスされる仮想SIMカードのカード番号を入力してもよく、その問い合わせインターフェースは図５Ｃに示されるものであってもよい。
【０１０７】
段階５１０：物理的SIMカードが物理的SIMカード・スロットから除去されることをチェックする。
【０１０８】
メンテナンス・ウェブサイトを使うことによってユーザーによって得られた仮想SIMカードのメンテナンス結果が成功であった後には、物理的SIMカードは一般に除去される必要があるが、仮想SIMカードの得られたメンテナンス結果が失敗であった後には、再び仮想SIMをメンテナンスするために、物理的SIMカードは一般に、段階５０４ないし段階５０９を実行するために続けて使用される必要がある。したがって、仮想SIMカードをメンテナンスした後、モバイル端末は物理的SIMカードが物理的SIMカード・スロットから除去されるかどうかをチェックしてもよい。
【０１０９】
ある可能な実装様式では、モバイル端末は、あらかじめ設定された時間期間毎に、物理的SIMカードが物理的SIMカード・スロットから除去されるかどうかをチェックする。
【０１１０】
もう一つの可能な実装様式では、外部の物理的SIMカードのホットプラグ可能な検出をサポートしているときは、モバイル端末は、物理的SIMカードが物理的SIMカード・スロットから除去されるかどうかをリアルタイムでチェックしうる。この場合、その実装様式は以下のようになりうる。
【０１１１】
物理的SIMカードが物理的SIMカード・スロットから除去された後、SIMカード回路の対応するピンが物理的SIMカードが除去されることを検出する。この場合、SIMカード回路は、割り込み信号を生成し、該割り込み信号をプロセッサに送信する。割り込み信号を検出したのち、プロセッサは、物理的SIMカードが物理的SIMカード・スロットから除去されることを判定する。
【０１１２】
段階５１１：SIMカード切り換えスイッチを使うことにより、稼働状態にあるSIMカードを物理的SIMカードから仮想SIMカードに切り換える。
【０１１３】
物理的SIMカードが物理的SIMカード・スロットから除去されることをチェックした後、プロセッサは、SIMカード回路に含まれるSIMカード切り換えスイッチを切り換えるために使われる切り換え命令を、SIMカード回路に送ってもよい。切り換え命令を受信した後、SIMカード回路は、SIMカード切り換えスイッチを切り換えることによって、稼働状態にあるSIMカードをメンテナンスされた仮想SIMカードに切り換え、キャリアによって提供されるネットワーク・サービスを得るよう、該仮想SIMカードを使ってネットワークを探す。
【０１１４】
モバイル端末によって提供されるオプションを使ってユーザーが手動で仮想SIMカードを現在使用中のSIMカードとして選択してもよいことを注意しておくべきである。
【０１１５】
段階５１２：仮想SIMカードを使うことによってキャリア・ネットワークにアクセスする。
【０１１６】
記述の簡単のため、本発明の本実施形態によってもたらされる有利な効果を記述するために、ユーザーが本方法実施形態を使うシナリオが使われる。
【０１１７】
ユーザー小王の仮想SIMカードデータが破損した後、小王は仮想SIMカードを使うことによってキャリア・ネットワークにアクセスすることができない。
【０１１８】
過去には、小王は、アフターサービスのために製造業者に連絡することができただけであり、モバイル端末全体を修理のために製造業者に返す。修理の間、小王はそのモバイル端末を使うことができず、モバイル端末の配送および修理費用を払う必要があることもある。
【０１１９】
しかしながら、本発明の本実施形態において提供される仮想SIMカードをメンテナンスするための方法によって、小王はUSIMカードをモバイル端末の外部スロットに挿入してもよく、USIMカードを使うことによってキャリア・ネットワークにアクセスし、キャリアによって提供されるメンテナンス・ウェブサイトにはいり、次いで、小王の破損した仮想SIMカードのカード番号およびUSIMカードのカード番号をメンテナンス要求に加え、キャリアによって承認されている識別情報を使うことによってメンテナンス要求をメンテナンス・サーバーに送る。数秒後、小王のモバイル端末がメンテナンス・サーバーによって送られたメンテナンス・データを受信した後、モバイル端末内の仮想SIMカードがメンテナンスされる。小王は、現在のメンテナンス結果を得るためにメンテナンス・ウェブサイトにおいて小王の仮想SIMカードのカード番号を入力してもよく、得られたメンテナンス結果が成功であるときは、小王は外部USIMカードを取り外してもよく、仮想SIMカードを使って正常な通信のためにキャリア・ネットワークにアクセスすることに進んでもよい。
【０１２０】
小王は、上記の一連のアクションを自宅で完了するのにわずかな時間を費やす必要があるだけである。これは、仮想SIMカードのメンテナンス費用を節約するのみならず、アフターサービスによって引き起こされる一連の問題をも回避することができる。
【０１２１】
本発明の本実施形態において提供される仮想SIMカードをメンテナンスする方法はさらに、別の形のSIMカードに適用されてもよいことを注意しておくべきである。すなわち、SIMカードの型は、本発明の本実施形態において限定されない。本方法は、いかなる形のSIMカードに適用されてもよく、別の形のSIMカードを、たとえば異なる型の物理的SIMカードの間もしくは異なる型の仮想SIMカードの間でメンテナンスするために、あるいは仮想SIMカードカードを使うことによって物理SIMカードのメンテナンスにおいて支援するためなどに適用されてもよい。
【０１２２】
まとめると、この実施形態において提供される仮想SIMカードをメンテナンスする方法によれば、モバイル端末は、物理的SIMカードを使うことによってネットワークにアクセスし、それにより該モバイル端末はメンテナンス・サーバーによって送られたメンテナンス・データを受信し、該メンテナンス・データに従って仮想SIMカードをメンテナンスしうる。物理的SIMカードは仮想SIMカードをメンテナンスすることにおいて支援するよう構成され、それにより、モバイル端末中の仮想SIMカードのデータが破損した後、仮想SIMカードは、モバイル端末をメンテナンスのために製造業者に返すことなく、メンテナンスできる。このことは、仮想SIMカードが破損したとき、メンテナンス・コストが高く、メンテナンス期間が長いという問題を解決し、これは仮想SIMカードのメンテナンス・コストを低下させ、メンテナンス期間を短縮する。
【０１２３】
図６を参照するに、図６は、本発明のさらにもう一つの実施形態に基づく、仮想SIMカードをメンテナンスするための方法の方法フローチャートである。本方法は、図１に示されるサーバーに適用され、次のことを含む。
【０１２４】
段階６０１：前記モバイル端末またはコンピュータによって送られたメンテナンス要求を受信する。ここで、前記メンテナンス要求は仮想SIMカードの識別子および物理的SIMカードの識別子を含む。
【０１２５】
段階６０２：前記仮想SIMカードの識別子に基づいて、送られる必要があり、固定したフォーマットをもつメンテナンス・データを決定する。ここで、前記メンテナンス・データは識別子フィールドを含み、前記識別子フィールドは、前記メンテナンス・データが前記仮想SIMカードのメンテナンス・データであることを同定するために使われる。
【０１２６】
段階６０３：前記メンテナンス・データを前記物理的SIMカードの識別子に対応するモバイル端末に送る。
【０１２７】
まとめると、この実施形態において提供される仮想SIMカードをメンテナンスする方法によれば、モバイル端末またはコンピュータによって送られたメンテナンス要求が受信され、メンテナンス・データが前記モバイル端末の物理的SIMカードに送られ、前記モバイル端末は、前記メンテナンス・データに従って仮想SIMカードをメンテナンスしうる。それにより、モバイル端末中の仮想SIMカードのデータが破損した後、仮想SIMカードは、モバイル端末をメンテナンスのために製造業者に返すことなく、メンテナンスできる。このことは、仮想SIMカードが破損したとき、メンテナンス・コストが高く、メンテナンス期間が長いという問題を解決し、これは仮想SIMカードのメンテナンス・コストを低下させ、メンテナンス期間を短縮する。
【０１２８】
図７を参照するに、図７は、本発明のさらにもう一つの実施形態に基づく、仮想SIMカードをメンテナンスするための方法の方法フローチャートである。本方法は、図１に示されるメンテナンス・サーバーに適用され、次のことを含む。
【０１２９】
段階７０１：モバイル端末またはコンピュータによって送られたメンテナンス要求を受信する。ここで、前記メンテナンス要求は仮想SIMカードの識別子および物理的SIMカードの識別子を含む。
【０１３０】
ユーザーによって使用されるモバイル端末中の仮想SIMカードが破損した後、ユーザーは、モバイル端末が正常にデータを送信または受信しうるよう、モバイル端末によって現在使用中のSIMカードを仮想SIMカードから物理的SIMカードに切り換えてもよい。
【０１３１】
物理的SIMカードを使う前記モバイル端末が、通信チップを使うことによって、キャリアによって提供されるネットワークにアクセスした後、ユーザーはキャリアによって提供されるメンテナンス・ウェブサイトにログインし、破損した仮想SIMカードをメンテナンスするメンテナンス要求をメンテナンス・サーバーに送ってもよい。
【０１３２】
仮想SIMカード・ユーザーの仮想SIMカードのセキュリティを保証するために、メンテナンス・ウェブサイトはまず、メンテナンス・ウェブサイトにログインするためにユーザーによって使用されるアカウントがメンテナンス要求を送る権限を有するかどうかを判定する必要があることを注意しておくべきである。メンテナンス・ウェブサイトがそのアカウントがメンテナンス要求を送る権限をもつと判定する場合には、メンテナンス・ウェブサイトは、そのアカウントによって送られたメンテナンス要求を、通信ボードを使うことによって受信し、該メンテナンス要求をメンテナンス・サーバーに送る。
【０１３３】
加えて、メンテナンス・サーバーのデータベースが仮想SIMカードのメンテナンス・データを記憶している。諸仮想SIMカードのメンテナンス・データは異なっており、メンテナンス・サーバーは前記データベースから、単に諸仮想SIMカードの識別子に従って、前記モバイル端末によって必要とされる仮想SIMカードのメンテナンス・データを決定することができる。したがって、モバイル端末によって送られるメンテナンス要求は破損した仮想SIMカードの識別子を担持する必要があり、該識別子は、破損した仮想SIMカードのICCIDであってもよい。
【０１３４】
決定されたメンテナンス・データをメンテナンス要求を開始するモバイル端末に正確に送るために、メンテナンス・サーバーはさらに、モバイル端末によって現在使われている物理的SIMカードの識別子を得る必要があり、該識別子は物理的SIMカードのICCIDであってもよい。
【０１３５】
ユーザーはさらに、前記コンピュータを使うことによってメンテナンス・ウェブサイトにログインしてもよいことを注意しておくべきであり、メンテナンス・ウェブサイトを使うことによって、破損した仮想SIMカードをメンテナンスするためのメンテナンス要求をメンテナンス・サーバーに送る。メンテナンス要求は破損した仮想SIMカードの識別子およびモバイル端末によって現在使われている物理的SIMカードの識別子を担持する。
【０１３６】
対応して、メンテナンス・サーバーは、モバイル端末によって送られたメンテナンス要求を得る。
【０１３７】
段階７０２：仮想SIMカードの識別子に対応するメンテナンス・データをデータベースから読む。ここで、前記メンテナンス・データは固定したフォーマットをもつショート・メッセージ・サービス・メッセージであり、前記ショート・メッセージ・サービス・メッセージが識別子フィールドおよびメンテナンス・フィールドを担持し、前記メンテナンス・フィールドは前記仮想SIMカードをメンテナンスするために前記モバイル端末によって使われる。
【０１３８】
メンテナンス要求から仮想SIMカードの識別子を得た後、プロセッサは、仮想SIMカードの識別子に従って、仮想SIMカードの識別子に対応するメンテナンス・データをデータベースから読んでもよい。
【０１３９】
段階７０３：仮想SIMカードの識別子に対応する前記メンテナンス・データが、送られる必要があり、前記固定したフォーマットをもつ前記メンテナンス・データであることを決定する。
【０１４０】
仮想SIMカードの識別子に対応するメンテナンス・データをデータベースから得た後、プロセッサは、前記メンテナンス・データが、モバイル端末に送られる必要があり、前記固定したフォーマットをもつ前記メンテナンス・データであることを決定する。
【０１４１】
メンテナンス・データは、仮想SIMカードの識別子に対応する仮想SIMカードのデータをメンテナンスするために使われる。メンテナンス・データは、メンテナンス・サーバーにおいてあらかじめ記憶されている仮想SIMカードのバックアップ・データであってもよい。
【０１４２】
たとえば、仮想SIMカードの識別子がICCID"89860000000000000000"である場合、データベースからICCIDが"89860000000000000000"である仮想SIMカードのメンテナンス情報を得た後、メンテナンス・サーバーは、ICCIDが"89860000000000000000"である仮想SIMカードの前記メンテナンス情報が、モバイル端末に送られる必要のあるメンテナンス・データであると決定する。
【０１４３】
段階７０４：前記メンテナンス・データを前記物理的SIMカードの識別子に対応するモバイル端末に送る。ここで、前記メンテナンス・データはさらに、メンテナンス識別子を含み、前記メンテナンス識別子は、前記物理的SIMカードを使って、前記メンテナンス・データを前記仮想SIMカードに転送するようモバイル端末に命令するために、使われる。
【０１４４】
送られる必要がある前記メンテナンス・データを決定した後、メンテナンス・サーバーのプロセッサは、前記メンテナンス識別子を、仮想SIMカードを担持するメンテナンス・データに加え、次いで、前記通信ボードを使うことによって、メンテナンス要求において担持される物理的SIMカードの識別子に従って、メンテナンス・データを、物理的SIMカードの識別子に対応する物理的SIMカードに送る。
【０１４５】
たとえば、物理的SIMカードの識別子がICCID"89860000000000000001"である場合、前記メンテナンス識別子を決定されたメンテナンス・データに加えた後、メンテナンス・サーバーは、通信ボードを使うことによって、メンテナンス・データを、ICCIDが"89860000000000000001"である物理的SIMカードに送る。
【０１４６】
メンテナンス識別子は、前記物理的SIMカードを使って、前記メンテナンス・データを前記仮想SIMカードに転送するようモバイル端末に命令するために、使われる。
【０１４７】
メンテナンス・データを送った後、メンテナンス・サーバーは、モバイル端末によって送られ、仮想SIMカードのメンテナンス結果を担持するフィードバック情報を、通信ボードを使うことによって受信し、該フィードバック情報に従って、仮想SIMカードのメンテナンス結果および仮想SIMカードのICCIDをメンテナンス・ウェブサイトにおいて対応して記録してもよいことを注意しておくべきである。それにより、ユーザーは、メンテナンス・ウェブサイトを使うことによって、現在のメンテナンスの結果について問い合わせしうる。
【０１４８】
まとめると、この実施形態において提供される仮想SIMカードをメンテナンスする方法によれば、モバイル端末またはコンピュータによって送られたメンテナンス要求が受信され、メンテナンス・データが前記モバイル端末の物理的SIMカードに送られ、前記モバイル端末は、前記メンテナンス・データに従って仮想SIMカードをメンテナンスしうる。それにより、モバイル端末中の仮想SIMカードのデータが破損した後、仮想SIMカードは、モバイル端末をメンテナンスのために製造業者に返すことなく、メンテナンスできる。このことは、仮想SIMカードが破損したとき、メンテナンス・コストが高く、メンテナンス期間が長いという問題を解決し、これは仮想SIMカードのメンテナンス・コストを低下させ、メンテナンス期間を短縮する。
【０１４９】
図８を参照するに、図８は、本発明のさらにもう一つの実施形態に基づく、仮想SIMカードをメンテナンスするための方法の方法フローチャートである。本方法は、図１に示されるモバイル端末およびメンテナンス・サーバーに適用され、次のことを含む。
【０１５０】
段階８０１：モバイル端末が、物理的SIMカードが物理的SIMカード・スロットに挿入されることをチェックする。
【０１５１】
段階８０２：モバイル端末が、SIMカード切り換えスイッチを使うことにより、稼働状態にあるSIMカードを仮想SIMカードから物理的SIMカードに切り換える。
【０１５２】
段階８０３：モバイル端末が、物理的SIMカードを使うことによってキャリア・ネットワークにアクセスする。
【０１５３】
物理的SIMカードについての情報を読んだ後、モバイル端末は破損した仮想SIMカードからは切断し、新たに挿入された物理的SIMカードを使うことによってネットワーク・サービスを得て、キャリアによって提供されるネットワークにアクセスしてもよい。
【０１５４】
段階８０４：モバイル端末は、物理的SIMカードを使うことによってメンテナンス・サーバーにメンテナンス要求を送る。
【０１５５】
仮想SIMカードの識別子は送られる必要のあるメンテナンス・データを決定するためにメンテナンス・サーバーによって使われ、物理的SIMカードの識別子は前記メンテナンス・データを前記モバイル端末に送るためにメンテナンス・サーバーによって使われる。
【０１５６】
モバイル端末が物理的SIMカードを使って前記ネットワークにアクセスした後、ユーザーは、モバイル端末を使うことによって、キャリアによって提供されるメンテナンス・ウェブサイトにはいって、仮想SIMカードのメンテナンス要求をメンテナンス・サーバーに送ってもよい。
【０１５７】
段階８０５：メンテナンス・サーバーが、前記モバイル端末またはコンピュータによって送られたメンテナンス要求を受信する。
【０１５８】
段階８０６：メンテナンス・サーバーが、仮想SIMカードの識別子に対応するメンテナンス・データをデータベースから読む。
【０１５９】
段階８０７：メンテナンス・サーバーが、仮想SIMカードの識別子に対応する前記メンテナンス・データが、送られる必要があり、前記固定したフォーマットをもつメンテナンス・データであることを決定する。
【０１６０】
段階８０８：メンテナンス・サーバーが、前記メンテナンス・データを前記物理的SIMカードの識別子に対応するモバイル端末に送る。
【０１６１】
段階８０９：モバイル端末が、固定したフォーマットをもちメンテナンス・サーバーによって物理的SIMカードに送られるメンテナンス・データを受信する。
【０１６２】
段階８１０：モバイル端末が、固定したフォーマットをもつショート・メッセージ・サービス・メッセージが識別子フィールドを含むことを検出する。
【０１６３】
段階８１１：モバイル端末が、前記識別子フィールドに従って、前記ショート・メッセージ・サービス・メッセージを仮想SIMカード・メンテナンス・プログラムに転送する。
【０１６４】
段階８１２：モバイル端末が、仮想SIMカード・メンテナンス・プログラムを使うことによってショート・メッセージ・サービス・メッセージの内容をデコードして、メンテナンス・フィールドを得る。
【０１６５】
段階８１３：モバイル端末が、前記メンテナンス・フィールドに従って前記仮想SIMカードをメンテナンスする。
【０１６６】
段階８１４：モバイル端末が、物理的SIMカードが物理的SIMカード・スロットから除去されることをチェックする。
【０１６７】
段階８１５：モバイル端末が、SIMカード切り換えスイッチを使うことにより、稼働状態にあるSIMカードを物理的SIMカードから仮想SIMカードに切り換える。
【０１６８】
段階８１６：モバイル端末が、仮想SIMカードを使うことによってキャリア・ネットワークにアクセスする。
【０１６９】
まとめると、この実施形態において提供される仮想SIMカードをメンテナンスする方法によれば、モバイル端末が物理的SIMカードを使うことによってネットワークにアクセスし、それにより該モバイル端末はメンテナンス・サーバーによって送られたメンテナンス・データを受信し、該メンテナンス・データに従って仮想SIMカードをメンテナンスしうる。物理的SIMカードは仮想SIMカードをメンテナンスすることにおいて支援するよう構成され、それにより、モバイル端末中の仮想SIMカードのデータが破損した後、仮想SIMカードは、モバイル端末をメンテナンスのために製造業者に返すことなく、メンテナンスできる。このことは、仮想SIMカードが破損したとき、メンテナンス・コストが高く、メンテナンス期間が長いという問題を解決し、これは仮想SIMカードのメンテナンス・コストを低下させ、メンテナンス期間を短縮する。
【０１７０】
図９を参照するに、図９は、本発明のある実施形態に基づく、仮想SIMカードをメンテナンスするための装置の概略的な構造図である。仮想SIMカードをメンテナンスするための本装置は、ソフトウェア、ハードウェアまたはソフトウェアとハードウェアの組み合わせを使うことによって、図１に示されるモバイル端末の全部または一部として実装されてもよく、チェック・モジュール９０１、切り換えモジュール９０２、ネットワーク・アクセス・モジュール９０３、受信モジュール９０４およびメンテナンス・モジュール９０５を含む。
【０１７１】
チェック・モジュール９０１は、物理的SIMカードが物理的SIMカード・スロットに挿入されていることをチェックするよう構成される。
【０１７２】
切り換えモジュール９０２は、SIMカード切り換えスイッチを使うことにより、稼働状態にあるSIMカードを仮想SIMカードから物理的SIMカードに切り換えるよう構成される。
【０１７３】
ネットワーク・アクセス・モジュール９０３は、物理的SIMカードを使うことによってキャリア・ネットワークにアクセスするよう構成される。
【０１７４】
受信モジュール９０４は、固定したフォーマットをもちメンテナンス・サーバーによって前記物理的SIMカードに送られるメンテナンス・データを受信するよう構成される。メンテナンス・データは識別子フィールドを含み、前記識別子フィールドは前記メンテナンス・データが前記仮想SIMカードのメンテナンス・データであることを同定するために使われる。
【０１７５】
メンテナンス・モジュール９０５は、前記メンテナンス・データに従って前記仮想SIMカードをメンテナンスするよう構成される。
【０１７６】
まとめると、この実施形態において提供される仮想SIMカードをメンテナンスする装置によれば、モバイル端末が物理的SIMカードを使うことによってネットワークにアクセスし、それにより該モバイル端末はメンテナンス・サーバーによって送られたメンテナンス・データを受信し、該メンテナンス・データに従って仮想SIMカードをメンテナンスしうる。物理的SIMカードは仮想SIMカードをメンテナンスすることにおいて支援するよう構成され、それにより、モバイル端末中の仮想SIMカードのデータが破損した後、仮想SIMカードは、モバイル端末をメンテナンスのために製造業者に返すことなく、メンテナンスできる。このことは、仮想SIMカードが破損したとき、メンテナンス・コストが高く、メンテナンス期間が長いという問題を解決し、これは仮想SIMカードのメンテナンス・コストを低下させ、メンテナンス期間を短縮する。
【０１７７】
図１０を参照するに、図１０は、本発明のある実施形態に基づく、仮想SIMカードをメンテナンスするための装置の概略的な構造図である。仮想SIMカードをメンテナンスするための本装置は、ソフトウェア、ハードウェアまたはソフトウェアとハードウェアの組み合わせを使うことによって、図１に示されるモバイル端末の全部または一部として実装されてもよく、チェック・モジュール９０１、切り換えモジュール９０２、ネットワーク・アクセス・モジュール９０３、受信モジュール９０４およびメンテナンス・モジュール９０５を含む。
【０１７８】
チェック・モジュール９０１は、物理的SIMカードが物理的SIMカード・スロットに挿入されていることをチェックするよう構成される。
【０１７９】
切り換えモジュール９０２は、SIMカード切り換えスイッチを使うことにより、稼働状態にあるSIMカードを仮想SIMカードから物理的SIMカードに切り換えるよう構成される。
【０１８０】
ネットワーク・アクセス・モジュール９０３は、物理的SIMカードを使うことによってキャリア・ネットワークにアクセスするよう構成される。
【０１８１】
受信モジュール９０４は、固定したフォーマットをもちメンテナンス・サーバーによって前記物理的SIMカードに送られるメンテナンス・データを受信するよう構成される。メンテナンス・データは識別子フィールドを含み、前記識別子フィールドは前記メンテナンス・データが前記仮想SIMカードのメンテナンス・データであることを同定するために使われる。
【０１８２】
メンテナンス・モジュール９０５は、前記メンテナンス・データに従って前記仮想SIMカードをメンテナンスするよう構成される。
【０１８３】
任意的に、前記メンテナンス・データは固定したフォーマットをもつショート・メッセージ・サービス・メッセージである。前記ショート・メッセージ・サービス・メッセージが前記識別子フィールドおよびメンテナンス・フィールドを担持する。
【０１８４】
メンテナンス・モジュール９０５は：識別子検出ユニット９０５ａ、情報転送ユニット９０５ｂ、内容デコード・ユニット９０５ｃおよびデータ・メンテナンス・ユニット９０５ｄを含む。
【０１８５】
識別子検出ユニット９０５ａは、前記固定したフォーマットをもつ前記ショート・メッセージ・サービス・メッセージが前記識別子フィールドを含むことを検出するよう構成される。
【０１８６】
情報転送ユニット９０５ｂは、前記ショート・メッセージ・サービス・メッセージを前記識別子フィールドに従って仮想SIMカード・メンテナンス・プログラムに転送するよう構成される。
【０１８７】
内容デコード・ユニット９０５ｃは、前記仮想SIMカード・メンテナンス・プログラムを使うことによって前記ショート・メッセージ・サービス・メッセージの内容をデコードして前記メンテナンス・フィールドを得るよう構成される。
【０１８８】
データ・メンテナンス・ユニット９０５ｄは、前記メンテナンス・フィールドに従って前記仮想SIMカードをメンテナンスするよう構成される。
【０１８９】
任意的に、本装置は要求送信モジュール９０６を含む。
【０１９０】
要求送信モジュール９０６は、前記物理的SIMカードを使うことによって前記メンテナンス・サーバーにメンテナンス要求を送るよう構成される。前記メンテナンス要求は前記仮想SIMカードの識別子および前記物理的SIMカードの識別子を含む。
【０１９１】
前記仮想SIMカードの識別子は前記仮想SIMカードの識別子に対応するメンテナンス・データを前記物理的SIMカードに対応するモバイル端末に送るために前記メンテナンス・サーバーによって使われる。
【０１９２】
前記物理的SIMカードの識別子は前記メンテナンス・データを前記物理的SIMカードの識別子に対応する前記モバイル端末に送るために前記メンテナンス・サーバーによって使われる。
【０１９３】
任意的に、本装置は：SIMカード検出モジュール９０７、ネットワーク切り換えモジュール９０８およびネットワーク・アクセス・モジュール９０９を含む。
【０１９４】
SIMカード検出モジュール９０７は、前記物理的SIMカードが前記物理的SIMカード・スロットから取り出されることをチェックするよう構成される。
【０１９５】
ネットワーク切り換えモジュール９０８は、前記SIMカード切り換えスイッチを使うことにより、稼働状態にあるSIMカードを前記物理的SIMカードから前記仮想SIMカードに切り換えるよう構成される。
【０１９６】
ネットワーク・アクセス・モジュール９０９は、前記仮想SIMカードを使うことによってキャリア・ネットワークにアクセスするよう構成される。
【０１９７】
まとめると、この実施形態において提供される仮想SIMカードをメンテナンスする装置によれば、モバイル端末が物理的SIMカードを使うことによってネットワークにアクセスし、それにより該モバイル端末はメンテナンス・サーバーによって送られたメンテナンス・データを受信し、該メンテナンス・データに従って仮想SIMカードをメンテナンスしうる。物理的SIMカードは仮想SIMカードをメンテナンスすることにおいて支援するよう構成され、それにより、モバイル端末中の仮想SIMカードのデータが破損した後、仮想SIMカードは、モバイル端末をメンテナンスのために製造業者に返すことなく、メンテナンスできる。このことは、仮想SIMカードが破損したとき、メンテナンス・コストが高く、メンテナンス期間が長いという問題を解決し、これは仮想SIMカードのメンテナンス・コストを低下させ、メンテナンス期間を短縮する。
【０１９８】
図１１を参照するに、図１１は、本発明のさらにもう一つの実施形態に基づく、仮想SIMカードをメンテナンスするための装置の概略的な構造図である。仮想SIMカードをメンテナンスするための本装置は、ソフトウェア、ハードウェアまたはソフトウェアとハードウェアの組み合わせを使うことによって、図１に示されるメンテナンス・サーバーの全部または一部として実装されてもよく、要求受信モジュール１１０１、データ決定モジュール１１０２およびデータ送信モジュール１１０３を含む。
【０１９９】
要求受信モジュール１１０１は、モバイル端末またはコンピュータによって送られたメンテナンス要求を受信するよう構成される。前記メンテナンス要求は仮想SIMカードの識別子および物理的SIMカードの識別子を含む。
【０２００】
データ決定モジュール１１０２は、前記仮想SIMカードの識別子に基づいて、送られる必要があり、固定したフォーマットをもつメンテナンス・データを決定するよう構成される。前記メンテナンス・データは識別子フィールドを含み、前記識別子フィールドは、前記メンテナンス・データが前記仮想SIMカードのメンテナンス・データであることを同定するために使われる。
【０２０１】
データ送信モジュール１１０３は、前記メンテナンス・データを前記物理的SIMカードの識別子に対応するモバイル端末に送るよう構成される。
【０２０２】
まとめると、この実施形態において提供される仮想SIMカードをメンテナンスする装置によれば、モバイル端末が物理的SIMカードを使うことによってネットワークにアクセスし、それにより該モバイル端末はメンテナンス・サーバーによって送られたメンテナンス・データを受信し、該メンテナンス・データに従って仮想SIMカードをメンテナンスしうる。物理的SIMカードは仮想SIMカードをメンテナンスすることにおいて支援するよう構成され、それにより、モバイル端末中の仮想SIMカードのデータが破損した後、仮想SIMカードは、モバイル端末をメンテナンスのために製造業者に返すことなく、メンテナンスできる。このことは、仮想SIMカードが破損したとき、メンテナンス・コストが高く、メンテナンス期間が長いという問題を解決し、これは仮想SIMカードのメンテナンス・コストを低下させ、メンテナンス期間を短縮する。
【０２０３】
図１２を参照するに、図１２は、本発明のさらにもう一つの実施形態に基づく、仮想SIMカードをメンテナンスするための装置の概略的な構造図である。仮想SIMカードをメンテナンスするための本装置は、ソフトウェア、ハードウェアまたはソフトウェアとハードウェアの組み合わせを使うことによって、図１に示されるメンテナンス・サーバーの全部または一部として実装されてもよく、要求受信モジュール１１０１、データ決定モジュール１１０２およびデータ送信モジュール１１０３を含む。
【０２０４】
要求受信モジュール１１０１は、モバイル端末またはコンピュータによって送られたメンテナンス要求を受信するよう構成される。前記メンテナンス要求は仮想SIMカードの識別子および物理的SIMカードの識別子を含む。
【０２０５】
データ決定モジュール１１０２は、前記仮想SIMカードの識別子に基づいて、送られる必要があり、固定したフォーマットをもつメンテナンス・データを決定するよう構成される。前記メンテナンス・データは識別子フィールドを含み、前記識別子フィールドは、前記メンテナンス・データが前記仮想SIMカードのメンテナンス・データであることを同定するために使われる。
【０２０６】
データ送信モジュール１１０３は、前記メンテナンス・データを前記物理的SIMカードの識別子に対応するモバイル端末に送るよう構成される。
【０２０７】
任意的に、前記データ決定モジュール１１０２は：データ読み込みユニット１１０２ａと、データ決定ユニット１１０２ｂとを含む。
【０２０８】
データ読み込みユニット１１０１ａは、前記仮想SIMカードの識別子に対応するメンテナンス・データをデータベースから読むよう構成される。前記メンテナンス・データは固定したフォーマットをもつショート・メッセージ・サービス・メッセージであり、前記ショート・メッセージ・サービス・メッセージが前記識別子フィールドおよびメンテナンス・フィールドを担持し、前記メンテナンス・フィールドは前記仮想SIMカードをメンテナンスするために前記モバイル端末によって使われる。
【０２０９】
データ決定ユニット１１０２ｂは、前記仮想SIMカードの識別子に対応する前記メンテナンス・データが、送られる必要があり、前記固定したフォーマットをもつ前記メンテナンス・データであることを決定するよう構成される。
【０２１０】
まとめると、この実施形態において提供される仮想SIMカードをメンテナンスする装置によれば、モバイル端末が物理的SIMカードを使うことによってネットワークにアクセスし、それにより該モバイル端末はメンテナンス・サーバーによって送られたメンテナンス・データを受信し、該メンテナンス・データに従って仮想SIMカードをメンテナンスしうる。物理的SIMカードは仮想SIMカードをメンテナンスすることにおいて支援するよう構成され、それにより、モバイル端末中の仮想SIMカードのデータが破損した後、仮想SIMカードは、モバイル端末をメンテナンスのために製造業者に返すことなく、メンテナンスできる。このことは、仮想SIMカードが破損したとき、メンテナンス・コストが高く、メンテナンス期間が長いという問題を解決し、これは仮想SIMカードのメンテナンス・コストを低下させ、メンテナンス期間を短縮する。
【０２１１】
本発明の上記の実施形態の続き番号は単に例解目的のためであり、実施形態の優先順位を示すことは意図されていない。
【０２１２】
当業者は、前記実施形態の段階の全部または一部がハードウェアまたは関係するハードウェアに命令するプログラムによって実装されうることを理解しうる。プログラムは、コンピュータ可読記憶媒体に記憶されてもよい。記憶媒体は、読み出し専用メモリ、磁気ディスクまたは光ディスクを含んでいてもよい。
【０２１３】
以上の記述は単に本発明の例示的実施形態であり、本発明を限定することは意図されていない。本発明の精神および原理から外れることなくなされるいかなる修正、等価な置換および改善も本発明の保護範囲内にはいる。
【図１】
0006426854.tif 000002
【図２】
0006426854.tif 000003
【図３】
0006426854.tif 000004
【図４】
0006426854.tif 000005
【図５Ａ】
0006426854.tif 000006
【図５Ｂ】
0006426854.tif 000007
【図５Ｃ】
0006426854.tif 000008
【図６】
0006426854.tif 000009
【図７】
0006426854.tif 000010
【図８】
0006426854.tif 000011
【図９】
0006426854.tif 000012
【図１０】
0006426854.tif 000013
【図１１】
0006426854.tif 000014
【図１２】
0006426854.tif 000015